(57)【要約】【課題】高速回転をしても、振動が小さく信頼性が高く、送風性能の高い電動送風機を提供する。【解決手段】環状壁の一端側を開口し他端側に底壁を有する有底筒状に形成されたブラケットＢと、軸受保持部と腕状のブリッジ部を有するブラケットＡを結合し、その結合した内部に界磁鉄心と、一対の軸受で保持される電機子とを配置した電動送風機であって、前記ブラケットＡと前記ブラケットＢを結合する一対の結合部を結ぶ投影線上に、ブラケットＡのブリッジ部が位置するようにし、かつ前記結合部の近傍に前記界磁鉄心の外周角部が位置するようにした。【選択図】図２
2013087640.tif 000002
【特許請求の範囲】
【請求項１】
環状壁の一端側を開口し他端側に底壁を有する有底筒状に形成されたブラケットＢと、軸受保持部と腕状のブリッジ部を有するブラケットＡを結合し、その結合した内部に界磁鉄心と、一対の軸受で保持される電機子とを配置した電動送風機であって、
前記ブラケットＡと前記ブラケットＢを結合する一対の結合部を結ぶ投影線上に、ブラケットＡのブリッジ部が位置するようにし、かつ前記結合部の近傍に前記界磁鉄心の外周角部が位置するようにした電動送風機。
【請求項２】
前記ブラケットＡの反界磁鉄心側に回転ファンおよびエアガイドを備え、前記ブリッジ部には、一対の結合部から軸受保持部に沿ってエアガイド側に突出する補強リブを備えたことことを特徴とする請求項１に記載の電動送風機。
【請求項３】
前記ブリッジ部の外周側近傍に複数の通風孔を備えたことを特徴とする請求項１または２に記載の電動送風機。
【発明の詳細な説明】
【技術分野】
【０００１】
本発明は、掃除機などの電気機器等に用いられる電動送風機に関するものである。
【背景技術】
【０００２】
従来、この種の電動送風機は、吸い込み力を得るために回転ファンを高速回転させている。回転ファンで吸引した空気は、エアガイドによって構成された通風路を経て、モータ内部を通過して外部に排出される。高速回転を可能とするため、界磁鉄心を内蔵し、回転子の一端をささえる軸受保持部を有するブラケットＢと、回転ファン側に設けらて、回転子の他端の軸受保持部を有するブラケットＡが結合されている。このブラケットＡは界磁鉄心の間を径方向に横断する形でブリッジ状になっており、中央に軸受保持部が設けられている（例えば、特許文献１参照）。
【０００３】
また、別の例として、略９０度間隔にブラケットＡとブラケットＢとの結合部を配置することで、回転ファンの持つアンバランスによる径方向の振れを抑制しているものがある（例えば特許文献２参照）。
【先行技術文献】
【特許文献】
【０００４】
【特許文献１】特開２００１−１５３０９７号公報
【特許文献２】特開２０００−１４０７０号公報
【発明の概要】
【発明が解決しようとする課題】
【０００５】
特許文献１の構成では、ブラケットＡとブラケットＢとの結合部をブリッジ状の両端に配置することで帯状の形状とし材料費の削減を可能としている。しかしながら、ブラケットＡの中央の軸受保持部に保持され回転軸に取り付けられる回転ファンの持つアンバランスにより、ブラケットＡは径方向に振れが生じる。横断部の方向に対しては剛性が確保されているので振れを抑制することが出来るが、横断方向と略９０度方向には振れが大きくなり、電動機の振動が大きくなるという課題を有していた。
【０００６】
特許文献第２の構成では、略９０度間隔に配置された結合部により回転ファンの持つアンバランスによる径方向の振れを抑制することが出来る。しかしながら、ブラケットＡの中央の軸受保持部と結合部の間は湾曲したブリッジ状になっているため、径方向のアンバランス荷重によりブリッジ状部分は歪みが生じやすく、電動機の振動が大きくなるという課題を有していた。
【０００７】
本発明は、前記従来の課題を解決するもので、回転ファンの持つアンバランス荷重による振れ、歪みを抑制するとともに、送風性能の良いブラケット構造を有する電動機を提供することを目的とする。
【課題を解決するための手段】
【０００８】
前記従来の課題を解決するために、本発明の電動機は、環状壁の一端側を開口し他端側に底壁を有する有底筒状に形成されたブラケットＢと、軸受保持部と腕状のブリッジ部を有するブラケットＡを結合し、その結合した内部に界磁鉄心と、一対の軸受で保持される電機子とを配置した電動送風機であって、前記ブラケットＡと前記ブラケットＢを結合する一対の結合部を結ぶ投影線上に、ブラケットＡのブリッジ部が位置するようにし、かつ前記結合部の近傍に前記界磁鉄心の外周角部が位置するように構成している。
【０００９】
こ構成によれば、一対の結合部を結ぶ投影線上にブラケットＡのブリッジ部が位置するので、特許文献２のようなブラケットＡの開口がなく剛性が高くなる。さらに結合部の近傍に重量の重い界磁鉄心を配置しているため、軸受保持部の保持強度が強くなり、電機子回転危険速度を高くすることが出来るため、高速運転時の振動増加を抑制することが出来る。
【発明の効果】
【００１０】
本発明によれば、一対のブラケットの剛性強度が強くなり、電機子の高速運転時の振動増加を抑制することが出来る。また、通風路を遮蔽することなく空気流を均等化することにより、通風損失の少ない電動送風機を得ることが出来る。
【図面の簡単な説明】
【００１１】
【図１】本発明の実施形態１における電動送風機の半断面の側面図
【図２】同電動送風機の回転ファンなどを削除してブラケットＡ側から見た正面図
【発明を実施するための形態】
【００１２】
第１の発明は、環状壁の一端側を開口し他端側に底壁を有する有底筒状に形成されたブラケットＢと、軸受保持部と腕状のブリッジ部を有するブラケットＡを結合し、その結合した内部に界磁鉄心と、一対の軸受で保持される電機子とを配置した電動送風機であって、前記ブラケットＡと前記ブラケットＢを結合する一対の結合部を結ぶ投影線上に、ブラケットＡのブリッジ部が位置するようにし、かつ前記結合部の近傍に前記界磁鉄心の外周角部が位置するようにしたことを特徴とする。これにより剛性強度が強くなり高速運転時の振動増加を抑制することが出来る。
【００１３】
第２の発明は、前記ブラケットＡの反界磁鉄心側に回転ファンおよびエアガイドを備え、前記ブリッジ部には、一対の結合部から軸受保持部に沿ってエアガイド側に突出する補強リブを備えたことことを特徴とする。これによりさらに剛性強度が強くなり高速運転時の振動増加を抑制することが出来る。
【００１４】
第３の発明は、前記ブリッジ部の外周側近傍に複数の通風孔を備えたことを特徴とする。これにより通風路を遮蔽することなく空気流を均等化することにより、通風損失の少ない電動送風機を得ることが出来る。
【００１５】
（実施の形態）
以下、本発明の電動送風機の実施形態を図１および図２で説明する。図１は本発明の実施形態１における電動送風機の側面図であり、上半分を断面している。図２は同電動送風機の正面図であり、回転ファンやエアガイドなどを削除して、ブラケットＡ側から見た図である。
【００１６】
図１、図２に示すように、有底筒状に形成されたブラケットＢ２と、ブラケットＢ２との結合部３を有し、円周平面部７と共に中央には軸受保持部４を配置した一対のブリッジ部８を有するブラケットＡ１が、ブラケットＢ２の開口側に結合されている。
【００１７】
互いに対向する一対の磁極を有し略方形状に形成された界磁鉄心１１と、この界磁鉄心１１に巻装された界磁巻線１２とからなる界磁１３がブラケットＢ２内に収納されている。界磁鉄心１１の角部外周は、ブラケットＢ２の内周面に圧入されている。
【００１８】
ブラケットＢ２の底壁およびブラケットＡ１に設けられた軸受９に、回転軸５を支持されて界磁１３の磁極間に配置された電機子１４がささえられている。
【００１９】
ブラケットＢ２の開口側に設けられ回転軸５の一端に回転ファン６が取り付けられ、回転ファン６の下流側にエアガイド１０が配置され、回転ファン６およびエアガイド１０を覆い、吸入口を有するファンケース１６がブラケットＡ１に取り付けられている。
【００２０】
電機子１４の回転軸５に固定された回転ファン６の回転によって、ファンケース１６の吸入口から吸引された空気流がエアガイド１０とブラケットＡ１の円周平面部７に沿って形成される通風路に通じてブラケットＢ２の排出口へ流出させる。
【００２１】
ここで、ブラケットＡ１とブラケットＢ２とは、一対の結合部３ａと、その一対の結合部３ａから約９０度回転した位置にある他の一対の結合部３ｂにより、かしめにて結合されている。
【００２２】
一対の結合部３ａを結ぶ投影線上に、ブラケットＡ１のブリッジ部８が位置する関係になっており、軸受保持部４以外の開口は設けられていない。他の一対の結合部３ｂを結ぶ投影線上には、通風路形成や界磁巻線１２との絶縁確保の為の開口部が配置されており、界磁巻線１２近辺ではエアガイド１０側に突出した補強リブ１７を有している。
【００２３】
上記構成により、軸受保持部４の保持強度が強くなり回転軸５の危険速度を高くすることが出来るため、高速運転時の振動増加が少ない電動送風機が得られる。
【００２４】
またブラケットＡ１のブリッジ部８と円周平面部７との連結近辺、すなわちブリッジ部８の外周面側に複数の通風孔１８が設けられている。これによりファンケース１６の吸入口から吸引された空気流がエアガイド１０とブラケットＡ１の円周平面部７に沿って形成される通風路に通じてブラケットＢ２へ流入する際、遮断する領域がなくなり、均等に流入することが出来、送風性能の損失を少なくすることが出来る。
【００２５】
なお上記実施形態は前記に限定されるものではなく、例えば、ブラケットＡ１とブラケットＢ２とはネジ締結によって結合されていても良い。
【産業上の利用可能性】
【００２６】
以上のように本発明によれば、高速回転をしても、振動が小さく信頼性が高く、送風性能の高い電動送風機を提供することができるので、電気掃除機などの家庭用電気機器や設備機器などに適用可能である。
【符号の説明】
【００２７】
１    ブラケットＡ
２    ブラケットＢ
３a、３ｂ    結合部
４    軸受保持部
５    回転軸
７    円周平面部
８    ブリッジ部
９    軸受
１０    エアガイド
１１    界磁鉄心
１２    界磁巻線
１３    界磁
１４    電機子
１７    補強リブ
１８    通風孔
【図１】
2013087640.tif 000003
【図２】
2013087640.tif 000004